(57)【特許請求の範囲】
【請求項１】
プレビュー画像を表示するディスプレイと、
データに含まれるページのうち、画像形成装置にジョブを実行させるページを指定する指定入力と前記プレビュー画像の表示ページの切替入力を受け付ける入力デバイスと、
前記指定ページに基づき、画像形成装置に実行させるためのジョブ実行用データを送信する通信部と、
ジョブ実行用データを生成する処理部と、を含み、
前記ディスプレイは、前記指定入力されたページである指定ページの前記プレビュー画像を表示し、前記指定ページが連続した範囲である連続ページであるとき、前記連続ページのうち最初と最後のページのみのプレビュー画像を表示し、前記指定ページが連続せず独立した非連続ページであるとき、全ての前記非連続ページの前記プレビュー画像を表示
し、表示すべき全てのプレビュー画像を表示し終えると、Ｙｅｓキーと、Ｎｏキーを含むジョブ実行確認画面を表示し、
前記通信部は、前記ディスプレイが表示すべき全てのページの前記プレビュー画像を表示した後に前記Ｙｅｓキーが押されたとき、前記ジョブ実行用データの送信を行い、
前記Ｎｏキーが押されたとき、前記処理部は前記ジョブ実行用データを生成しないことを特徴とする情報処理装置。
【請求項２】
前記入力デバイスは、前記連続ページと前記非連続ページの両方の種類でページを指定する入力を受け付け、
前記ディスプレイは、前記連続ページについては、前記連続ページのうち最初と最後のページのみのプレビュー画像を表示し、前記非連続ページについては、全ての前記非連続ページの前記プレビュー画像を表示することを特徴とする請求項１記載の情報処理装置。
【請求項３】
１又は複数ページの画像データを含む蓄積文書を記憶する記憶部と、
前記蓄積文書に基づき印刷を行う画像形成部と、
前記蓄積文書のページのプレビュー画像を表示する表示部と、
前記蓄積文書に含まれるページのうち、ジョブを実行させるページを指定する指定入力と前記プレビュー画像の表示ページの切替入力を受け付ける入力部と、
前記入力部の出力を受け、設定内容を認識する表示制御部を含み、
前記表示部は、前記指定入力されたページである指定ページのプレビュー画像を表示し、前記指定ページが連続した範囲である連続ページであるとき、前記連続ページのうち最初と最後のページのみのプレビュー画像を表示し、前記指定ページが連続せず独立した非連続ページであるとき、全ての前記非連続ページの前記プレビュー画像を表示し、また、前記プレビュー画像と、印刷実行キーと、中止キーを含むプレビュー画像確認画面を表示し、
前記画像形成部は、前記表示部が表示すべき全てのページの前記プレビュー画像を表示した後に前記印刷実行キーが押されたとき、前記蓄積文書に基づき印刷を行い、
前記中止キーが押されたとき、前記表示制御部は、前記蓄積文書の出力に関する設定を破棄することを特徴とする画像形成装置。
【請求項４】
前記入力部は、前記連続ページと前記非連続ページの両方の種類でページを指定する入力を受け付け、
前記表示部は、前記連続ページについては、前記連続ページのうち最初と最後のページのみのプレビュー画像を表示し、前記非連続ページについては、全ての前記非連続ページの前記プレビュー画像を表示することを特徴とする請求項３記載の画像形成装置。
【発明の詳細な説明】
【技術分野】
【０００１】
本発明は、１つのデータのうち、ジョブを実行するページのプレビュー画像を表示する情報処理装置、画像形成装置に関する。又、プレビュー画像を表示するためのプログラムに関する。
【背景技術】
【０００２】
情報処理装置や画像形成装置には、印刷や送信しようとするページのプレビュー画像を表示するものがある。プレビュー画像は、使用者の所望する結果が得られるか（設定に間違いがないか）を確認のため参照される。例えば、プレビュー画像表示により、指定したページが適切か否かの確認や、多数のページに及ぶデータに送信してはいけないページが含まれていないかを確認することができる。このようなプレビュー表示を行う情報処理装置の一例が特許文献１に記載されている。
【０００３】
具体的に、特許文献１には、指定された宛先に送信データを送信する送信指示を行う情報処理装置であって、プレビュー情報を表示する表示手段、プレビュー情報の表示の切り替えの指示を行う表示切替手段と、表示手段によって全てのプレビュー情報が表示されたかを判断する判断手段と、全てのプレビュー情報が表示されたと判断した場合に、指定された宛先に対して前記送信データを送信する送信指示を行う送信指示手段と、を備えた情報処理装置が記載されている。この構成により、予め全ての送信データを出力しないと送信指示を行わず、ユーザに対して送信データの（全）内容の確認を行わせることが可能となり、個人情報や営業秘密など、機密情報の漏洩の危険性を低減しようとする（特許文献１：請求項１、段落［００２０］等参照）。
【先行技術文献】
【特許文献】
【０００４】
【特許文献１】特開２００７−１６６２０１号公報
【発明の概要】
【発明が解決しようとする課題】
【０００５】
まず、情報処理装置（例えば、パーソナルコンピュータ）からデータを画像形成装置に送信し、画像形成装置に印刷ジョブを行わせることがある。あるいは、画像形成装置に予め蓄積されたデータが印刷や送信に再利用されることもある。このとき、使用者は、複数ページのうち、一部のページを指定して印刷等を行うことがある。しかし、使用者の所望するページと異なるページを誤って指定してしまう場合がある。特に、数十ページや数百ページの中から、１又は数ページを選ぶ場合、ページ指定のミスが生じやすい。
【０００６】
そして、誤ったページを指定したままで印刷や送信が行われると、使用者が所望する結果が得られず、用紙、トナー、電力等の資源が無駄となり、再設定のために時間の無駄が生ずる。従って、指定したページが使用者の所望するページかを、プレビュー画像等で確認できるようにすべきであるという問題がある。
【０００７】
又、特許文献１記載の発明のように、使用者がページを指定してから、全ページのプレビュー画像を表示すれば、確かに印刷や送信での失敗を減らせる場合がある。しかし、特許文献１記載の発明は、全ページのプレビューの閲覧をして初めて送信を行える。そのため、多数ページ（例えば、数十〜数百ページ）のデータの送信や印刷では、プレビューを確認するだけで膨大な時間がかかる。又、必要な部分だけ確認できればよいのに、全ページのプレビューの閲覧を強要すると、返って確認がいい加減でおろそかになる場合もある。従って、特許文献１記載の発明は、使用者にとって煩わしく、現実的、効率的ではないという問題がある。
【０００８】
本発明は、上記の問題点に鑑み、データのうち、指定したページが所望するページであるかを簡易、確実に確認できるようにし、ページの指定ミスを防いで無駄を無くすとともに、プレビュー画像の確認に要する時間をできるだけ短くし、生産性や、使いやすさを高めることを課題とする。
【課題を解決するための手段】
【０００９】
上記課題解決のため請求項１に係る情報処理装置は、プレビュー画像を表示するディスプレイと、データに含まれるページのうち、画像形成装置にジョブを実行させるページを指定する指定入力と前記プレビュー画像の表示ページの切替入力を受け付ける入力デバイスと、前記指定ページに基づき、画像形成装置に実行させるためのジョブ実行用データを送信する通信部と、ジョブ実行用データを生成する処理部と、を含み、前記ディスプレイは、前記指定入力されたページである指定ページの前記プレビュー画像を表示し、前記指定ページが連続した範囲である連続ページであるとき、前記連続ページのうち最初と最後のページのみのプレビュー画像を表示し、前記指定ページが連続せず独立した非連続ページであるとき、全ての前記非連続ページの前記プレビュー画像を表示し、表示すべき全てのプレビュー画像を表示し終えると、Ｙｅｓキーと、Ｎｏキーを含むジョブ実行確認画面を表示し、前記通信部は、前記ディスプレイが表示すべき全てのページの前記プレビュー画像を表示した後に前記Ｙｅｓキーが押されたとき、前記ジョブ実行用データの送信を行い、前記Ｎｏキーが押されたとき、前記処理部は前記ジョブ実行用データを生成しないこととした。
【００１０】
この構成によれば、ページの指定が行われた後、指定ページが連続ページのとき、最初と最後のページのみのプレビュー画像が表示される。これにより、ページが連続している場合、実用上、必要なページのみのプレビュー画像の確認で済ますことができる。従って、確認するプレビュー画像のページ数が最小限となるので、連続ページの範囲が広くても（指定されたページ数が多くても）、プレビュー画像の確認に要する時間を従来よりも減らすことができる。
【００１１】
又、ページの指定が行われた後、指定ページが非連続ページのとき、非連続ページの全ページのプレビュー画像を表示する。これにより、多数のページの中の１ページや、多数のページの中で散らばって存在する特定のページを間違いなく指定できているか、確実に確認することができる。従って、設定ミス（ページの指定ミス）による用紙等の無駄の発生を防ぐことができる。又、ページ指定にミスがないかを効率的に確認できるので、指定したページの全てのプレビュー画像を確認しなければならない場合に比べ、使用者は集中して指定ページの確認を行える。従って、的確にページの指定ミスを発見できる。また、この構成によれば、通信部は、ディスプレイが表示すべき全てのページのプレビュー画像を表示した後、ジョブ実行用データの送信を行う。これにより、使用者が指定したページに誤りがないかをしっかり確認した後、印刷や送信のジョブが実行され、ページの指定ミスによる無駄が生じない。
【００１２】
又、請求項２に係る発明は、請求項１の発明において、前記入力デバイスは、前記連続ページと前記非連続ページの両方の種類でページを指定する入力を受け付け、前記ディスプレイは、前記連続ページについては、前記連続ページのうち最初と最後のページのみのプレビュー画像を表示し、前記非連続ページについては、全ての前記非連続ページの前記プレビュー画像を表示することとした。
【００１３】
この構成によれば、入力デバイスは、指定ページとして、連続ページと非連続ページの両方の種類を指定する入力を受け付け、連続ページと非連続ページにあわせてプレビュー画像が表示される。これにより、使用者は、ページの指定を複数の態様で指定でき、かつ、プレビュー画像は指定した態様に合わせて表示される。従って、使用者は、指定したページの部分に応じてプレビュー画像を最小限かつ的確に確認することができ、効率的にプレビュー画像の確認を行うことができる。
【００１６】
又、請求項３に係る画像形成装置は、１又は複数ページの画像データを含む蓄積文書を記憶する記憶部と、前記蓄積文書に基づき印刷を行う画像形成部と、前記蓄積文書のページのプレビュー画像を表示する表示部と、前記蓄積文書に含まれるページのうち、ジョブを実行させるページを指定する指定入力と前記プレビュー画像の表示ページの切替入力を受け付ける入力部と、前記入力部の出力を受け、設定内容を認識する表示制御部を含み、前記表示部は、前記指定入力されたページである指定ページのプレビュー画像を表示し、前記指定ページが連続した範囲である連続ページであるとき、前記連続ページのうち最初と最後のページのみのプレビュー画像を表示し、前記指定ページが連続せず独立した非連続ページであるとき、全ての前記非連続ページの前記プレビュー画像を表示し、また、前記プレビュー画像と、印刷実行キーと、中止キーを含むプレビュー画像確認画面を表示し、前記画像形成部は、前記表示部が表示すべき全てのページの前記プレビュー画像を表示した後に前記印刷実行キーが押されたとき、前記蓄積文書に基づき印刷を行い、前記中止キーが押されたとき、前記表示制御部は、前記蓄積文書の出力に関する設定を破棄することとした。
【００１７】
この構成によれば、画像形成装置に蓄積された蓄積文書の印刷で、ページの指定が行われた後、指定ページが連続ページのとき、最初と最後のページのみのプレビュー画像が表示される。これにより、請求項１の発明と同様に、プレビュー画像の確認を最小限で済ますことができる。従って、プレビュー画像の確認に要する時間を従来よりも減らすことができる。又、ページの指定が行われた後、指定ページが非連続ページのとき、非連続ページの全ページのプレビュー画像が表示される。これにより、ページを間違いなく指定できているか、確実に確認することができる。従って、設定ミス（ページの指定ミス）による用紙等の無駄の発生を防ぐことができる。又、使用者は集中して指定ページの確認を行える。従って、的確にページの指定ミスを発見できる。又、この構成によれば、画像形成部は、ディスプレイが表示すべき全てのページのプレビュー画像を表示した後、蓄積文書に基づき画像形成を行う。これにより、使用者が指定したページに誤りがないかをしっかり確認した後、ジョブの実行が開始され、印刷や送信を確実に行うことができ、ページの指定ミスによる無駄が生じない。
【００１８】
又、請求項４に係る発明は、前記入力部は、前記連続ページと前記非連続ページの両方の種類でページを指定する入力を受け付け、前記表示部は、前記連続ページについては、前記連続ページのうち最初と最後のページのみのプレビュー画像を表示し、前記非連続ページについては、全ての前記非連続ページの前記プレビュー画像を表示することとした。
【００１９】
この構成によれば、請求項２の発明と同様、入力部は、指定ページとして、連続ページと非連続ページの両方の種類を指定する入力を受け付ける。これにより、使用者は、ページの指定を複数の態様で指定でき、かつ、プレビュー画像は指定した態様に合わせて表示される。従って、使用者は、指定したページの部分に応じてプレビュー画像を最小限かつ的確に確認することができ、効率的にプレビュー画像の確認を行うことができる。
【００２２】
又、プログラムを、データに含まれるページのうち、画像形成装置にジョブを実行させるページを指定する指定入力と、前記プレビュー画像の表示ページの切替入力を、入力デバイスに受け付けさせ、前記指定入力されたページである指定ページのプレビュー画像をディスプレイに表示させ、前記指定ページの確認のためのプレビュー画像を表示する前記ディスプレイに、前記指定ページが連続した範囲である連続ページであるとき、前記連続ページのうち最初と最後のページのみのプレビュー画像の表示をディスプレイに行わせ、前記指定ページが連続せず独立した非連続ページであるとき、全ての前記非連続ページの前記プレビュー画像を、前記ディスプレイに表示させるものとしてもよい。
【００２３】
このプログラムにより、請求項１の発明と同様の効果を得ることができる。
【発明の効果】
【００２４】
上述したように、指定ページが所望するページであるかを簡易、確実に確認できる情報処理装置、画像形成装置を提供することができる。又、実行したジョブのミスが防がれるので、トナー、用紙、時間、エネルギー等の無駄の無い情報処理装置、画像形成装置を提供することができる。又、プレビュー画像の確認のための時間を短くできるので、生産性が高く使いやすい情報処理装置、画像形成装置を提供することができる。
【図面の簡単な説明】
【００２５】
【図１】第１の実施形態に係るコンピュータのハードウェア構成の一例を示すブロック図である。
【図２】第１の実施形態に係るコンピュータでのジョブ実行用データの設定画面の一例を示す説明図である。
【図３】第１の実施形態に係るコンピュータでのプレビュー画像の表示の一例を示す説明図であり、（ａ）は指定ページが連続ページの場合を示し、（ｂ）は指定ページが非連続ページの場合を示し、（ｃ）は指定ページが非連続ページと連続ページが混在している場合を示す。
【図４】第１の実施形態に係るコンピュータでのジョブ実行確認画面の一例を示す説明図である
【図５】第１の実施形態に係るコンピュータでのプレビュー画像の表示制御の一例を示すフローチャートである。
【図６】第２の実施形態に係る複合機の一例を示す模型的正面断面図である。
【図７】第２の実施形態に係る複合機の構成の一例を示すブロック図である。
【図８】第２の実施形態に係る複合機での機能選択画面の一例を示す説明図である。
【図９】第２の実施形態に係る複合機での文書出力設定画面の一例を示す説明図である。
【図１０】第２の実施形態に係る複合機での範囲指定画面の一例を示す説明図である。
【図１１】第２の実施形態に係る複合機でのプレビュー確認画面の一例を示す説明図である。
【図１２】第２の実施形態に係るコンピュータでのプレビュー画像の表示制御の一例を示すフローチャートである。
【発明を実施するための形態】
【００２６】
以下、まず、本発明の第１の実施形態を図１〜図５を用いて説明する。ここで、本発明は、各種情報処理装置に適用可能であるが、コンピュータ（情報処理装置に相当）を例に挙げて説明する。但し、本実施の形態に記載されている構成、配置等の各要素は、発明の範囲を限定せず、単なる説明例にすぎない。
【００２７】
（コンピュータのハードウェア構成）
まず、図１を用い、本発明の第１の実施形態に係るコンピュータ１の一例を説明する。図１は、本発明の第１の実施形態に係るコンピュータ１のハードウェア構成の一例を示すブロック図である。
【００２８】
まず、図１に示すコンピュータ１は、例えば、パーソナルコンピュータである。そして、コンピュータ１は、図１に示すように、処理部１１を有する。処理部１１は、演算処理や、画像データに対する処理（例えば、プレビュー画像生成処理）や、圧縮や解凍などのデータ処理や、コンピュータ１の各部の動作制御を行う。処理部１１は、例えば、基板として構成され、ＣＰＵ１１ａのような演算、処理用の素子を含む。
【００２９】
そして、コンピュータ１は、不揮発的にデータを記憶する記憶部１２を有する。記憶部１２は、ＲＡＭ１３よりも大きな容量を有する。記憶部１２は、例えば、ＨＤＤ（Hard Disk Drive）である。尚、記憶部１２は、フラッシュＲＯＭを利用したＳＳＤでもよい。記憶部１２は、コンピュータ１を動作させ、各種処理を行わせるためのプログラム（例えば、ＯＳや各種アプリケーション）やデータを記憶する。
【００３０】
又、コンピュータ１は、データやプログラムを揮発的に記憶するメインメモリ（主記憶装置）としてＲＡＭ１３を有する。ＲＡＭ１３には、記憶部１２から読み出されたコンピュータ１を動作させ、各種処理を行わせるためのプログラム、データが蓄えられる。ＣＰＵ１１ａは、ＲＡＭ１３内のプログラムやデータを利用し、演算や処理を行う。
【００３１】
又、コンピュータ１は、ディスプレイ１４を有する。ディスプレイ１４は、例えば、プログラム（アプリケーションソフト）を動作させたとき、画面、画像を表示する。例えば、プログラムの起動に伴い、処理部１１は、プログラムの操作用や入力用の画面、画像をディスプレイ１４に表示させる。又、例えば、記憶部１２に記憶される画像形成装置用のプログラムに従い、処理部１１は、印刷や送信の設定用の画面をディスプレイ１４に表示させる。
【００３２】
又、コンピュータ１は、入力デバイス１５を有する。入力デバイス１５は、例えば、キーボードやポインティングデバイス（マウス）である。例えば、入力デバイス１５を用い、ディスプレイ１４の表示を参照し、プログラム等に関しての入力、設定を行うことができる。この入力に基づき、プログラムは動作し、処理部１１に処理を行わせる。
【００３３】
又、コンピュータ１は、外部との通信用インターフェイスとして通信部１６を含む。通信部１６は、通信用のチップ、回路、コネクタ、ソケット等を含む。この通信部１６を介して、コンピュータ１は、コンピュータ１のプリンタや送信機として機能する画像形成装置１０１（例えば、プリンタ、ＦＡＸ装置、複合機等）と通信可能に接続される。接続形態としては、コンピュータ１と通信部１６を直接的にケーブルで接続するようにしてもよいし、ネットワーク経由で接続するようにしてもよい。
【００３４】
使用者は、コンピュータ１で入力デバイス１５を用いて操作することにより、画像形成装置１０１にジョブ（印刷ジョブや送信ジョブ）行わせるためのジョブ実行用データをコンピュータ１から画像形成装置１０１に送信できる。例えば、ジョブ実行用データは、画像データやジョブを実行するうえでの設定データを含む。
【００３５】
そして、画像形成装置１０１は、コンピュータ１から受信したジョブ実行用データに基づき、印刷できる（プリンタ機能）。又、画像形成装置１０１は、コンピュータ１から受信したジョブ実行用データに基づき、ＦＡＸ装置１０２やネットワーク１０３を介して他のコンピュータ１０４に画像データ等に送信できる（ＦＡＸ機能、インターネットＦＡＸ機能）。
【００３６】
（ジョブ実行用データの設定画面）
次に、図２に基づき、本発明の実施形態に係るコンピュータ１から画像形成装置１０１に送信するジョブ実行用データの設定画面の一例を説明する。図２は、本発明の第１の実施形態に係るコンピュータ１でのジョブ実行用データ設定画面Ｓ１０の一例を示す説明図である。
【００３７】
例えば、使用者は、コンピュータ１の記憶部１２に記憶された（インストールされた）プログラム（文書作成プログラムや、表計算プログラムや、画像データ処理プログラム等）を動作させ、各種の処理をコンピュータ１に行わせる。これらのプログラムを起動し、動作させたプログラムに対応するファイルが開かれた状態で、印刷コマンドや送信コマンドが実行されると、画像形成装置１０１へのジョブ実行用データ送信に関するプログラムが起動する。そして、処理部１１は、図２に示すようなジョブ実行用データ設定画面Ｓ１０をディスプレイ１４に表示させる。
【００３８】
ジョブ実行用データ設定画面Ｓ１０は、例えば、複数の領域に分割される。例えば、ジョブ実行用データ設定画面Ｓ１０の上の領域は、プリンタの情報確認等を行うための基本領域Ｆ１である。基本領域Ｆ１の左下は、印刷コマンドや送信コマンドを実行したプログラムのファイルにおいて、印刷や送信を行うページを指定するためのページ指定領域Ｆ２である。又、基本領域Ｆ１の右下は、印刷部数を設定するための印刷部数設定領域Ｆ３である。
【００３９】
基本領域Ｆ１では、ジョブ実行用データを送信する画像形成装置１０１を示す送信対象表示欄Ｅ１が設けられる。尚、コンピュータ１にはネットワーク１０３等により、複数の画像形成装置１０１が接続される場合がある。そこで、入力デバイス１５を用い送信対象表示欄Ｅ１の右端のボタンを押すと、プルダウンメニュー形式で、通信可能でジョブ実行用データの送信対象となり得る画像形成装置１０１を選択することができる。
【００４０】
又、印刷ではなく、ジョブ実行用データを画像形成装置１０１から送信させるとき、送信チェックボックスＣ１が押される。この送信チェックボックスＣ１にチェックが入っていると、処理部１１は、ジョブ実行用データに基づいたＦＡＸ装置１０２やコンピュータ１０４等への送信を画像形成装置１０１に行わせる。尚、送信チェックボックスＣ１の下方には、アドレス指定キーＫ１が設けられる。アドレス指定キーＫ１が押されると、例えば、処理部１１は、送信相手方のアドレス情報（ＦＡＸ番号、ネットワークアドレス、Ｅメールアドレス等）を入力するための画面（不図示）をディスプレイ１４に表示させる。そして、使用者は、入力デバイス１５を用いてアドレス情報を入力する。入力されたアドレス情報は、コンピュータ１から画像形成装置１０１に送信される。
【００４１】
そして、ページ指定領域Ｆ２には、印刷や送信コマンドが実行されたファイルで、印刷や送信を行うページを指定するための４つのラジオボタンＲが設けられる。「全て」の文字が付されたラジオボタンＲ１は、ファイルに含まれる全ページの印刷や送信を行うときに押される。「選択した部分」の文字が付されたラジオボタンＲ２は、ドラッグ動作等により、プログラムで予め選択した部分の印刷や送信を行うときに押される。「現在のページ」の文字が付されたラジオボタンＲ３は、ファイル中、使用者が現在、操作や入力を行っているページのみを印刷や送信するときに押される。「ページ指定」の文字が付されたラジオボタンＲ４は、入力デバイス１５を用いて印刷や送信するページを指定するときに押される。
【００４２】
使用者は、ラジオボタンＲ４を押し、ラジオボタンＲ４の右方に設けられたページ指定欄Ｅ２に印刷や送信するページを指定する入力を行う。特定の連続しない独立の１ページについて（非連続ページ）の印刷や送信を行うとき、特定のページの番号をページ指定欄Ｅ２に入力する。例えば、ファイルのうち、１ページ目のみ印刷や送信を行う場合、使用者は、ページ指定欄Ｅ２に「１」と入力する。
【００４３】
又、複数の非連続ページの印刷や送信を行うとき、所望するページの番号を並べてページ指定欄Ｅ２に入力する。例えば、１ページと７ページの印刷や送信を行うとき、使用者は、ページ指定欄Ｅ２に「１，７」とページ番号をカンマで区切って入力する。
【００４４】
又、例えば、ファイルのページ数が全５０ページのうち、２０ページ〜２７ページと連続する範囲（連続ページ）の印刷や送信を行う場合、使用者は、ページ指定欄Ｅ２に「２０−２７」と範囲の最初のページ番号と最後のページ番号をハイフンでつなげて入力する。尚、ページ指定欄Ｅ２では「１，７，２０−２７」と非連続ページの連続ページの両方の態様を入力することができる。
【００４５】
そして、使用者がジョブ実行用データを送信に関し、設定、確認が終了すると、使用者は、ＯＫキーＫ２を押す。このＯＫキーＫ２が押されると、処理部１１は、ジョブ実行用データ設定画面Ｓ１０で印刷や送信を行うと指定されたページ（指定ページ）のプレビュー画像を表示させる。そして、使用者による表示すべき全プレビュー画像の確認後、処理部１１は、ジョブ実行用データ設定画面Ｓ１０で設定、入力された内容に従い、通信部１６から画像形成装置１０１に向けてジョブ実行用データを送信する。
【００４６】
（プレビュー画像）
次に、図３に基づき、本発明の第１の実施形態に係るコンピュータ１でのプレビュー画像の表示の一例を説明する。図３は、本発明の第１の実施形態に係るコンピュータ１でのプレビュー画像の表示の一例を示す説明図であり、（ａ）は指定ページが連続ページの場合を示し、（ｂ）は指定ページが非連続ページの場合を示し、（ｃ）は指定ページが非連続ページと連続ページが混在している場合を示す。
【００４７】
一般に、コンピュータ１は、印刷等の設定完了入力後（例えば、印刷等の設定画面でのＯＫキーの押下後）、直ちにジョブ実行用データの生成と画像形成装置への送信を行う。使用者は、印刷や送信前にページの内容や誤りの有無を確認したければ、プレビュー画像を印刷等の設定完了入力前に確認する。例えば、プレビュー機能をプログラムが含むと、使用者は、プレビューコマンドを実行する。そうすると、例えば、全ページ分のプレビュー画像が表示され、使用者は、ディスプレイ１４に表示されたプレビュー画像の次ページへの切り替えを繰り返し、所望のページのプレビュー画像により、内容等を確認する。
【００４８】
しかし、本実施形態のコンピュータ１では、ジョブ実行用データ設定画面Ｓ１０でＯＫキーＫ２が押されると（ページの指定が行われた後）、印刷や送信すると指定されたページ（指定ページ）のプレビュー画像が表示される。
【００４９】
ここで、図３を用いて、プレビュー画像の表示例を説明する。尚、図３の各図では各ページの下方に、ページ番号の一例を付している。又、図３では、ディスプレイ１４が、各ページのプレビュー画像を１枚ずつ順に表示する例（表示順を白抜矢印で図示）を説明する（例えば、マウスのクリックやキーボードの矢印キーの押下等、入力デバイス１５の操作で、表示されるプレビュー画像のページが切り替えられる）。尚、ディスプレイ１４の１画面に複数ページ分のプレビュー画像が表示されてもよい。
【００５０】
まず、図３（ａ）を用いて、指定ページが連続している連続ページである場合を説明する。本説明では、ファイルに含まれるページのうち、２０〜２７ページの連続ページを印刷や送信を行うページとして指定した例を説明する。言い換えると、ラジオボタンＲ４が押され、ページ指定欄Ｅ２に「２０−２７」と入力された例を説明する。
【００５１】
開いているファイルについての印刷や送信では、原稿読取と異なり、ページ間に他の文書、書類が紛れ込むおそれはない。使用者は、指定したページのうち、最初と最後を確認し、範囲の指定に誤りが無いかを確認できればよい。そのため、印刷や送信するページとして連続ページが指定されたとき、処理部１１は、連続ページのうち、最初のページと最後のページのプレビュー画像のみをディスプレイ１４に表示させる。図３（ａ）は、２０ページから２７ページの範囲のうち、２０ページ目と、２７ページ目のみプレビュー画像が表示される例を示している。これにより、範囲内の全ページのプレビュー画像を確認させる場合に比べ、プレビュー画像の確認に要する時間は短くなる。
【００５２】
尚、開いているファイルの全ページの指定がなされたとき（ラジオボタンＲ１が押されていたとき）、連続ページ（連続する範囲）の指定といえる。そのため、例えば、５０ページのファイルの場合、処理部１１は、１ページ目（最初のページ）と５０ページ目（最後のページ）のプレビュー画像をディスプレイ１４に表示させてもよい。尚、印刷や送信を行う範囲は明らかで、プレビュー画像を確認する必要が少ない場合も多いと考えられ、全ページの印刷や送信を行うとき、プレビュー画像を表示しないようにしてもよい。
【００５３】
次に、図３（ｂ）を用いて、指定ページが非連続ページである場合（指定ページが連続せず、独立している場合）を説明する。本説明では、ファイルに含まれるページのうち、１ページ、７ページ、１０ページの３つの特定のページを、印刷や送信を行うページとして指定した例を説明する。言い換えると、ラジオボタンＲ４が押され、例えば、ページ指定欄Ｅ２に「１，７，１０」と入力された例を説明する。
【００５４】
一部の特定ページのみを印刷や送信したい場合、ページの指定ミスが生じ得る。ページの指定がずれたまま印刷や送信がなされると、印刷や送信のやり直しとなり、無駄が生ずる。印刷や送信する範囲として、それぞれ非連続なページが指定されたとき、処理部１１は、全ての非連続ページのプレビュー画像をディスプレイ１４に表示させる。図３（ｂ）は、１ページ目と、７ページ目と、１０ページ目の全ての非連続ページのプレビュー画像が表示される例を示している。これにより、指定したページにミス（ずれ）がないか確認することができる。
【００５５】
尚、現在のページを印刷や送信すると指定されたとき（ラジオボタンＲ３が押されていたとき）、この場合も非連続ページの指定といえる。そのため、処理部１１は、現在のページのプレビュー画像をディスプレイ１４に表示させてもよい。尚、この場合、使用者は、印刷や送信を行う範囲の内容をわかっているはずなので、ラジオボタンＲ３が押されていたとき、処理部１１は、プレビュー画像を表示させないようにしてもよい。
【００５６】
又、選択した部分を印刷や送信すると指定されたとき（ラジオボタンＲ２が押されていたとき）について述べておく。選択した部分が複数ページにわたるとき、図３（ａ）に示す例と同様に、連続ページの指定と同様に扱えばよい。選択した部分が１ページに収まるとき、図３（ｂ）に示す例と同様に、非連続ページの指定と同様に扱えばよい。
【００５７】
次に、図３（ｃ）を用いて非連続ページと、連続ページを混在させて指定した場合を説明する。本説明では、開いているファイルに含まれるページのうち、１ページ、７ページ、１０ページの３つの非連続ページと、２０ページ〜２７ページの連続ページが混在されて、印刷や送信を行うページとして指定された例を説明する。言い換えると、ラジオボタンＲ４が押され、ページ指定欄Ｅ２に「１，７，１０，２０−２７」と入力された例を説明する。
【００５８】
非連続ページと連続ページの両方が、印刷や送信するページとして指定されたとき、処理部１１は、指定された非連続ページの全てのプレビュー画像と、指定された連続ページの最初ページと最後ページのプレビュー画像をディスプレイ１４に表示させる。図３（ｂ）は、１ページ目と、７ページ目と、１０ページ目と、２０ページ目と、２７ページ目のプレビュー画像（計５ページ）が表示される例を示している。図３（ｃ）の例は、図３（ａ）と図３（ｂ）の例を掛け合わせたといえる。
【００５９】
（プレビュー画像閲覧後のジョブ実行確認）
次に、図４に基づき、本発明の第１の実施形態に係るジョブの実行確認の一例を説明する。図４は、本発明の第１の実施形態に係るコンピュータ１でのジョブ実行確認画面Ｓ１１の一例を示す説明図である。
【００６０】
本実施形態のコンピュータ１では、ページ指定のミスの有無をしっかりと確認できるようにするとともに、できるだけ表示、確認させるプレビュー画像の枚数を少なくする。これにより、使用者は、効率よくプレビュー画像の確認を行い、設定ミス（ページ指定ミス）等を把握できる。しかし、設定ミスがあれば、無駄なジョブ実行を防ぐため、ジョブを中止することが望ましい。
【００６１】
そこで、本実施形態のコンピュータ１では、表示すべき全てのプレビュー画像を表示し終えると、処理部１１は、図４に示すようなジョブ実行確認画面Ｓ１１を表示させる。ＹｅｓキーＫ３は、プレビュー画像の確認後、ページ指定にミスがなく、印刷や送信をそのまま実行してよいとき押される。ＮｏキーＫ４は、プレビュー画像の確認後、ページ指定にミスがあり、印刷や送信を中止し、設定をやり直すべきとき押される。入力デバイス１５を用いて、ＹｅｓキーＫ３又はＮｏキーＫ４が押される。
【００６２】
（プレビュー画像表示制御）
次に、図５に基づき、本発明の第１の実施形態に係るコンピュータ１でのプレビュー画像の表示制御の一例を説明する。図５は、本発明の第１の実施形態に係るコンピュータ１でのプレビュー画像の表示制御の一例を示すフローチャートである。
【００６３】
まず、図５に示すスタートは、プログラムでのコマンド実行により表示されたジョブ実行用データ設定画面Ｓ１０でＯＫキーＫ２が押され、画像形成装置１０１にジョブ実行用データを送信しようとする時点である。
【００６４】
次に、処理部１１は、印刷や送信を行うと指定されたページについて、開いているファイルに基づき、表示すべきプレビュー画像用の画像データを生成する（ステップ♯１）。処理部１１は、連続ページについては最初と最後のページのプレビュー画像用の画像データを生成する。又、処理部１１は、非連続ページとして指定された全ページのプレビュー画像用の画像データを生成する。
【００６５】
もし、ファイルの全ページの印刷や送信を行うと設定されていれば（ラジオボタンＲ１の選択、ステップ♯２のＹｅｓ）、処理部１１は、開いているファイルのうち、１ページ目と最後のページのプレビュー画像をディスプレイ１４に表示させる（ステップ♯３）。一方、全ページの指定で無く（ステップ♯２のＮｏ）、非連続ページと、連続ページが混在して指定されていれば（ページ指定欄Ｅ２に入力されたページが連続ページと非連続ページの態様が混ざっていれば、ステップ♯４のＹｅｓ）、処理部１１は、非連続ページの全てと連続ページの最初と最後のページのプレビュー画像をディスプレイ１４に表示させる（ステップ♯５）。
【００６６】
即ち、入力デバイス１５は、連続ページと非連続ページの両方の種類でページを指定する入力を受け付け、ディスプレイ１４は、連続ページについては、連続ページのうち最初と最後のページのみのプレビュー画像を表示し、非連続ページについては、全ての非連続ページのプレビュー画像を表示する。
【００６７】
一方、混在もせず（ステップ♯４のＮｏ）、指定ページが連続ページであれば（ステップ♯６のＹｅｓ）、処理部１１は、連続ページの最初と最後のページのプレビュー画像をディスプレイ１４に表示させる（ステップ♯７）。一方、非連続ページであれば（ステップ♯６のＮｏ）、処理部１１は、全ての非連続ページのプレビュー画像をディスプレイ１４に表示させる（ステップ♯８）。
【００６８】
即ち、本発明に係る情報処理装置（コンピュータ１）は、ジョブ実行の対象となるページのプレビュー画像を表示するディスプレイ１４と、データに含まれるページのうち、画像形成装置にジョブを実行させるページを指定する指定入力と（ジョブ実行用データ設定画面Ｓ１０でのページの指定入力）、ページを指定する指定入力がなされた後に指定入力されたページである指定ページのプレビュー画像を表示させる指示入力（例えば、ジョブ実行用データ設定画面Ｓ１０でのＯＫキーＫ２の押下入力）と、プレビュー画像の表示ページの切替入力（プレビュー画像の表示ページを切り替えるための入力デバイス１５の操作入力。例えば、マウスのクリックやキーボードの矢印キーの押下等）、を受け付ける入力デバイス１５と、指定ページに基づき、画像形成装置に実行させるためのジョブ実行用データを送信する通信部１６と、を含み、ディスプレイ１４は、指定ページが連続した範囲である連続ページであるとき、連続ページのうち最初と最後のページのみのプレビュー画像を表示し、指定ページが連続せず独立した非連続ページであるとき、全ての非連続ページのプレビュー画像を表示する。
【００６９】
そして、処理部１１は、表示すべきプレビュー画像の全てを表示した後（ステップ♯３、ステップ♯５、ステップ♯７、ステップ♯８の後）、ジョブ実行確認画面Ｓ１１をディスプレイ１４に表示させる（ステップ♯９）。
【００７０】
その後、処理部１１は、指定されたページでジョブ実行をするか否かを確認する（ＹｅｓキーＫ３とＮｏキーＫ４のいずれが押されたかを確認する）（ステップ♯１０）。もし、ＹｅｓキーＫ３が押され、指定されたページでそのままジョブを実行する場合、処理部１１は、指定ページのジョブ実行用データを生成し、通信部１６を介して画像形成装置１０１に送信する（ステップ♯１１）。即ち、通信部１６は、ディスプレイ１４が表示すべき全てのページのプレビュー画像を表示した後、ジョブ実行用データの送信を行う。これにより、画像形成装置１０１にジョブ実行用データが送信され、画像形成装置１０１で印刷や送信等のジョブが実行されることになる（エンド）。
【００７１】
一方、もし、ＮｏキーＫ４が押され、指定ページでのジョブ実行を中止すべき場合、処理部１１は、ジョブ実行用データを生成せず、ジョブ実行用データ設定画面Ｓ１０でなされた設定を破棄する（ステップ♯１２）、そのまま制御は終了される（エンド）。このとき、例えば、ディスプレイ１４は、開いているプログラムのファイルの画面を表示する。
【００７２】
このようにして、第１の実施形態によれば、ページの指定が行われた後、指定ページが連続ページのとき、最初と最後のページのみのプレビュー画像が表示される。これにより、ページが連続していると、実用上、必要十分なページのみのプレビュー画像の確認で済ますことができる。従って、確認するプレビュー画像のページ数が最小限となるので、連続ページの範囲が広くても（指定されたページ数が多くても）、プレビュー画像の確認に要する時間を従来よりも減らすことができる。
【００７３】
又、ページの指定が行われた後、指定ページが非連続ページのとき、非連続ページの全ページのプレビュー画像を表示する。これにより、多数のページの中の１ページや、多数のページの中で散らばって存在する特定のページを間違いなく指定できているか、確実に確認することができる。従って、設定ミス（ページの指定ミス）による用紙等の無駄の発生を防ぐことができる。又、ページ指定にミスがないかを効率的に確認できるので、指定したページの全てのプレビュー画像を確認しなければならない場合に比べ、使用者は集中して指定ページの確認を行える。従って、的確にページの指定ミスを発見できる。
【００７４】
又、入力デバイス１５は、指定ページとして、連続ページと非連続ページの両方の種類を指定する入力を受け付け、連続ページと非連続ページにあわせてプレビュー画像が表示される。これにより、使用者は、ページの指定を複数の態様で指定でき、かつ、プレビュー画像は指定した態様に合わせて表示される。従って、使用者は、指定したページの部分に応じてプレビュー画像を最小限かつ的確に確認することができ、効率的にプレビュー画像の確認を行うことができる。又、通信部１６は、ディスプレイ１４が表示すべき全てのページのプレビュー画像を表示した後、ジョブ実行用データの送信を行う。これにより、使用者が指定したページに誤りがないかをしっかり確認した後、印刷や送信のジョブが実行され、ページの指定ミスによる無駄が生じない。
【００７５】
（第２の実施形態）
次に、図６〜図１２を用いて、本発明の第２の実施形態に係る複合機２を説明する。
【００７６】
第１の実施形態では、情報処理装置（コンピュータ１）でのプレビュー画像表示を説明した。第２の実施形態では、情報処理装置に変えて、画像形成装置でのプレビュー画像表示を説明する。第２の実施形態の説明では、画像形成装置として複合機２を例に挙げて説明する。尚、本実施形態で説明する複合機２は、第１の実施形態でコンピュータ１と通信可能に接続される画像形成装置として用いることができる。
【００７７】
（複合機２の概要）
まず、図６に基づき、本発明の第２の実施形態に係る複合機２を説明する。図６は本発明の第２の実施形態に係る複合機２の一例を示す模型的正面断面図である。
【００７８】
図６に示すように、本実施形態の複合機２は、最上部に原稿カバー２ａを有し、複合機２本体には、画像読取部３、操作パネル４、給紙部５、搬送路６、画像形成部７、定着部８等が設けられる。
【００７９】
まず、図６に破線で示すように、操作パネル４は、複合機２の正面上方に設けられる。そして、操作パネル４は、複合機２の状態や各種メッセージを表示する液晶表示部４１（表示部に相当）を備える。液晶表示部４１は、機能の選択、設定や文字入力等を行うためのキーを１又は複数表示できる。又、液晶表示部４１にタッチパネル部４２（例えば、抵抗膜方式、入力部に相当）が設けられる。タッチパネル部４２は、液晶表示部４１で押下された部分の位置、座標を検出するためのものである。
【００８０】
又、操作パネル４には、コピー等の各種機能の実行開始を指示するためのスタートキー４３や数字等の入力用のテンキー部４４（０〜９の数字と※、♯の記号がそれぞれ付された複数のキーで構成）も設けられる。又、操作パネル４には、複合機２に蓄えられた蓄積文書を扱うときに押される文書ボックスキー４５が設けられる。使用者は、文書ボックスキー４５を押し、ボックスを開き、操作パネル４を用いて各種操作を行うことにより複合機２に記憶された蓄積文書の印刷を行える。このように、操作パネル４にはスタートキー４３や、テンキー部４４や、文書ボックスキー４５等のハードとしてのキー（入力部に相当）も各種設けられる。
【００８１】
原稿カバー２ａは、図６の紙面奥行き方向に支点を有し、紙面上下方向に開閉可能である。原稿カバー２ａは、原稿の複写時、載置読取用コンタクトガラス３１に載置された原稿を押さえる。画像読取部３は、原稿を読み取り、原稿の画像データを形成する。又、画像読取部３内には露光ランプ、ミラー、レンズ、イメージセンサ（例えば、ＣＣＤ）等の光学系部材（不図示）が設けられる。尚、原稿カバー２ａに変えて、載原稿を１枚ずつ、自動的、連続的に、画像読取部３の読み取り位置（送り読取用コンタクトガラス３２）に向けて搬送する原稿搬送装置を設けてもよい。
【００８２】
そして、これらの光学系部材を用い、載置読取用コンタクトガラス３１に載置される原稿に光を照射し、その原稿の反射光を受けたイメージセンサの各画素の出力値をＡ／Ｄ変換し、画像データが生成される。複合機２は、読み取りにより得られた画像データに基づき印刷を行うことができる（コピー機能）。
【００８３】
給紙部５は、複数の用紙（例えば、コピー用紙、普通紙、再生紙、厚紙、ＯＨＰシート等の各種シート）を収容し、１枚ずつ搬送路６に送り込む。給紙部５は、収納用紙が載置されるカセット５１を含む（図６で上方のものに５１Ａ、下方のものに５１Ｂの符号を付す）。又、カセット５１から搬送路６に送り出すため回転駆動する給紙ローラ５２が設けられる（図６で上方のものに５２Ａ、下方のものに５２Ｂの符号を付す）。例えば、印刷時には、給紙ローラ５２が回転駆動し、印刷に要する用紙が１枚ずつ搬送路６に送り出される。
【００８４】
搬送路６は、給紙部５から排出トレイ６１まで用紙を搬送する通路である。尚、用紙搬送経路上には画像形成部７、定着部８等が配される。そして、搬送路６には、用紙の案内のためのガイドや、用紙搬送の際に回転駆動する搬送ローラ対６２、６３や、搬送されてくる用紙を画像形成部７の手前で待機させ、トナー像形成のタイミングを合わせて用紙を送り出すレジストローラ対６４等が設けられる。
【００８５】
画像形成部７は、画像データに基づきトナー像を形成し、搬送される用紙にトナー像を転写する。そのため、画像形成部７は、図６中に示す矢印方向に回転駆動可能に支持された感光体ドラム７１、及び、感光体ドラム７１の周囲に配設された帯電装置７２、露光装置７３、現像装置７４、転写ローラ７５、清掃装置７６等を備える。
【００８６】
トナー像形成及び転写プロセスを説明すると、画像形成部７の略中心に設けられ、所定方向に回転駆動する感光体ドラム７１は、図６において、感光体ドラム７１の右斜め上方に設けられる帯電装置７２により、所定電位に帯電される。図４において、露光装置７３は、帯電装置７２の右側方に設けられ、画像データに基づき、レーザ光をから出力し、感光体ドラム７１表面を走査露光して画像データに応じた静電潜像を形成する。尚、画像データは、画像読取部３で得られた画像データや、ネットワーク等により接続される外部のＰＣ２０１や相手方ＦＡＸ装置２０２（図７参照）から送信された画像データ等が用いられる。
【００８７】
そして、図６において、感光体ドラム７１の右斜め下方に設けられる現像装置７４は、感光体ドラム７１に形成された静電潜像にトナーを供給して現像する。感光体ドラム７１の左方に設けられる転写ローラ７５は感光体ドラム７１に圧接し、ニップが形成される。そして、トナー像にあわせタイミングを図られつつ、用紙はニップに進入する。用紙進入時、転写ローラ７５には所定の電圧が印加され、用紙に感光体ドラム７１上のトナー像が転写される。清掃装置７６は、転写後に感光体ドラム７１に残留するトナーを除去する。
【００８８】
定着部８は、用紙に転写されたトナー像を定着させる。本実施形態における定着部８は主として発熱体を内蔵する加熱ローラ８１と加圧ローラ８２で構成される。加熱ローラ８１と加圧ローラ８２は圧接しニップを形成する。そして、用紙が、このニップを通過することで、用紙表面のトナーが溶融・加熱され、トナー像が用紙に定着する。トナー定着後の用紙は、排出トレイ６１に排出される。このようにして、コピー機能、プリンタ機能の使用時、画像形成（印刷）が行われる。
【００８９】
（複合機２のハードウェア構成）
次に、図７に基づき、本発明の第２の実施形態に係る複合機２のハードウェア構成の一例を説明する。図７は、本発明の第２の実施形態に係る複合機２の構成の一例を示すブロック図である。
【００９０】
複合機２内には、制御部９が設けられる。制御部９は、複合機２の動作を制御し、例えば、ＣＰＵ９１、画像処理部９２等を含む。尚、制御部９は、全体制御や画像処理を行うメイン制御部と、画像形成や各種回転体を回転させるモータ等のＯＮ／ＯＦＦ等を制御するエンジン制御部等、機能ごとに分割して複数種設けられてもよい。
【００９１】
ＣＰＵ９１は、中央演算処理装置であって、記憶部９３に格納され、展開されるプログラムやデータに基づき複合機２の各部を制御する。画像処理部９２は、印刷を行う画像データや、外部のＰＣ２０１や相手方のＦＡＸ装置２０２に送信される画像データに対し、各種画像処理を施す。
【００９２】
記憶部９３は、例えば、ＲＯＭ、ＲＡＭ、ＨＤＤを含み、不揮発性と揮発性の記憶用の装置を組み合わせて構成される。そして、記憶部９３は、複合機２の制御用等の各種のプログラムやデータ、設定データ、画像データ等の各種データを記憶する。例えば、画像読取部３で読み取られた原稿の画像データを記憶部９３のＨＤＤに記憶することができる。
【００９３】
そして、制御部９は、操作パネル４、画像読取部３、給紙部５、搬送路６、画像形成部７、定着部８等の各部とバスや信号線等で接続され、各部、各装置を制御して複合機２の動作を制御する。
【００９４】
本実施形態の複合機２の操作パネル４は、例えば、表示制御部４０、表示する画面、画像の画像データなどを記憶するメモリ４６を含む。表示制御部４０は、ＣＰＵやＩＣ等で構成され、液晶表示部４１の表示を制御する。具体的に、例えば、表示制御部４０は、表示する画面の画像データに基づき、液晶表示部４１の表示を制御する。又、表示制御部４０は、タッチパネル部４２の出力を受け、液晶表示部４１で押下された座標を特定する。例えば、タッチパネル部４２の出力と座標の対応を示すテーブル等のデータは、メモリ４６に記憶される。
【００９５】
表示制御部４０は、押下位置の座標と液晶表示部４１に表示される各種画面の画像データを比較する等により、押されたキーを特定、認識する。このように、使用者は、コピー等の各機能を使用するうえでの設定を行える。例えば、表示制御部４０は、設定内容を認識し内容を制御部９に送信する。これにより、制御部９は、操作パネル４での設定内容を反映した動作を複合機２内の各部に行わせる。又、操作パネル４に設けられる各種ハードキー（テンキー部４３や文書ボックスキー４５等）も表示制御部４０に接続され、表示制御部４０は、各種キーが押下されたことを認識し、その旨を制御部９に伝達する。
【００９６】
更に、制御部９は、各種コネクタ、ソケット、通信制御用のチップ等を備えたデータ通信部９４と接続される。データ通信部９４は、ネットワークや公衆回線等により、ＰＣ２０１や、相手方ＦＡＸ装置２０２と、複合機２を通信可能に接続する。例えば、画像データを含むデータを外部のＰＣ２０１や相手方ＦＡＸ装置２０２（インターネットＦＡＸでもよい）に送信することができる（スキャナ機能、ＦＡＸ機能）。ＰＣ２０１や相手方ＦＡＸ装置２０２からの画像データに基づき印刷を行うこともできる（プリンタ機能、ＦＡＸ機能）。尚、ＰＣ２０１には、第１の実施形態で説明したコンピュータ１として用いることができる。このように、複合機２は、コピー機能、プリンタ機能、スキャン機能、ＦＡＸ機能のうちの複数の機能を備える。
【００９７】
（文書ボックス機能）
次に、図８〜図１１を用いて、本発明の第２の実施形態に係る複合機２での文書ボックス機能を説明する。図８は、本発明の第２の実施形態に係る複合機２での機能選択画面Ｓ２１の一例を示す説明図である。図９は、本発明の第２の実施形態に係る複合機２での文書出力設定画面Ｓ２２の一例を示す説明図である。図１０は、本発明の第２の実施形態に係る複合機２でのページ指定画面Ｓ２３の一例を示す説明図である。図１１は、本発明の第２の実施形態に係る複合機２でのプレビュー確認画面の一例を示す説明図である。
【００９８】
本実施形態の複合機２では、記憶部９３は、画像読取部３を用いて読み取った１又は複数枚の原稿の画像データを１つのファイル（文書）として記憶（蓄積）する。尚、保存されたファイル（以下「蓄積文書」と称する）の形式は、登録の際に選択される（例えば、ＰＤＦやＪＰＥＧやＴＩＦＦ）。記憶部９３に記憶された蓄積文書（画像データ）は、後日、再利用（印刷や送信）される（複数の使用者での共有も可能）。
【００９９】
記憶部９３への蓄積文書の入力や、蓄積文書の出力や再利用に関する機能が文書ボックス機能である。文書ボックス機能では、蓄積文書の保存、印刷、送信、削除、結合等を行うことができる。そこで、文書ボックス機能の利用手順の一例を以下に説明する。
【０１００】
まず、図８に基づき、蓄積文書に関する機能のうち、いずれの機能を用いるかを選択するための機能選択画面Ｓ２１を説明する。表示制御部４０は、文書ボックスキー４５が押されると、図８に示すような機能選択画面Ｓ２１を液晶表示部４１に表示させる。
【０１０１】
機能選択画面Ｓ２１には、例えば、文書登録キーＫ５、文書出力キーＫ６、文書編集キーＫ７といった複数のキーが配される。文書登録キーＫ５は、画像読取部３を用いて原稿を読み取り、得られた画像データを名称づけて記憶部９３に文書として登録（記憶）させる場合に押される（蓄積文書の入力）。文書出力キーＫ６は、記憶部９３に記憶された蓄積文書を用いて、印刷、送信を行う場合に押される。文書編集キーＫ７は、記憶部９３に記憶された蓄積文書の削除や、複数の蓄積文書を１つに結合する（１つのファイルとする）場合に押される。
【０１０２】
次に、蓄積文書の出力を行う場合を説明する。文書出力キーＫ６が押されると、表示制御部４０は、図９に示すような文書出力設定画面Ｓ２２を液晶表示部４１に表示させる。文書出力設定画面Ｓ２２には、記憶部９３内の蓄積文書を一覧形式で表示する一覧表示領域Ｆ４が設けられる。図９は、４種類の蓄積文書が記憶部９３に記憶されている例を示している。一覧表示領域Ｆ４には、蓄積文書の名称や登録日が表示される。使用者は、出力したい蓄積文書を押して指定する。表示制御部４０は、使用者が押した蓄積文書を反転表示して指定された旨を表示する。
【０１０３】
尚、蓄積文書が多数に及ぶと、全ての蓄積文書を一覧表示領域Ｆ４に表示しきれない場合があるので、上キーＫ８や下キーＫ９が設けられる。一覧表示領域Ｆ４に表示しきれないほど、蓄積文書が記憶部９３に記憶されている場合、上キーＫ８や下キーＫ９が押されると、表示制御部４０は、一覧表示領域Ｆ４の表示をスクロールさせるように、表示する蓄積文書を変える。
【０１０４】
蓄積文書の選択が完了すると、使用者は、選択終了キーＫ１０を押す。選択終了キーＫ１０が押されると、表示制御部４０は、図１０に示すようなページ指定画面Ｓ２３を液晶表示部４１に表示させる。ページ指定画面Ｓ２３は、蓄積文書に含まれるページのうち、印刷や送信を行うページを指定するための画面である。第１の実施形態でのジョブ実行用データ設定画面Ｓ１０のページ指定領域Ｆ２と同様のものである。
【０１０５】
ページ指定画面Ｓ２３には、印刷や送信を行うページを指定するために、３つのチェックボックスＣが設けられる。「全て」の文字が付されたチェックボックスＣ２は、蓄積文書に含まれる全ページの印刷や送信を行うときに押される。
【０１０６】
「ページ指定（範囲指定）」の文字が付されたチェックボックスＣ３は、蓄積文書のうち、印刷や送信を行うページの範囲を指定するために押される。使用者は、開始ページ入力欄Ｅ３を押し、テンキー部４４を用いて数字を入力して、印刷や送信を行うページの最初のページを指定できる。又、使用者は、終了ページ入力欄Ｅ４を押し、テンキー部４４を用いて数字を入力して、印刷や送信を行うページの最後のページを指定できる。例えば、蓄積文書の全５０ページのうち、２０ページ〜２７ページと連続する範囲（連続ページ）の印刷や送信を行うとき、図１０に示すように、使用者は、ページ指定欄Ｅ２に、開始ページ入力欄Ｅ３に「２０」と入力し終了ページ入力欄Ｅ４に「２７」と入力する。
【０１０７】
「ページ指定」の文字が付されたチェックボックスＣ４は、テンキー部４４を用いて印刷や送信するページを指定するときに押される。使用者は、ページ指定入力欄Ｅ５を押し、テンキー部４４を用いて数字を入力することで、連続せず、独立したページ（非連続ページ）を指定できる。例えば、蓄積文書の全５０ページのうち、１ページ、７ページのように、特定のページであり、連続しないページ（非連続ページ）を指定して、印刷や送信を行うとき、使用者は、ページ指定入力欄Ｅ５に、「１＊７」と入力する。尚、チェックボックスＣ３とチェックボックスＣ４の両方にチェックを入れると、連続ページの指定と非連続ページの指定の両方の種類でのページの指定が可能である。
【０１０８】
範囲指定が完了すると、使用者はＯＫキーＫ１１を押す。ＯＫキーＫ１１が押されると表示制御部４０は、図１１に示すようなプレビュー画像確認画面Ｓ２４を液晶表示部４１に表示させる。尚、キャンセルキーＫ１２は、蓄積文書の出力を止めるとき押される。プレビュー画像確認画面Ｓ２４は、指定されたページのうち、印刷や送信を行うページの内容を確認するための画面である。
【０１０９】
プレビュー画像確認画面Ｓ２４には、ページ単位でプレビュー画像を表示するプレビュー画像表示領域Ｆ５が設けられる。そして、プレビュー画像確認画面Ｓ２４で表示されるプレビュー画像は、第１の実施形態と同様に（図３参照）、指定ページが連続ページであるとき、指定された範囲の最初のページと最後のページのプレビュー画像が表示される。尚、チェックボックスＣ２が押され、蓄積文書の全ページの印刷や送信が指定されていれば、範囲指定が連続ページと扱われる。
【０１１０】
非連続ページについては、第１の実施形態と同様に（図３参照）に、指定された全ての非連続ページのプレビュー画像が表示される。尚、表示制御部４０は、ページ指定に基づきプレビュー画像表示領域Ｆ５の右下には、表示すべきプレビュー画像の全ページ数（図１１の例では、全５ページ）と、現在表示しているページの順番（図１１の例では、１ページ目）を表示できる。
【０１１１】
又、プレビュー画像確認画面Ｓ２４には、プレビュー画像を拡大して表示させる際に押される拡大キーＫ１３と、プレビュー画像を縮小して表示させる際に押される縮小キーＫ１４が設けられる。拡大キーＫ１３や縮小キーＫ１４が押されると、表示制御部４０は、プレビュー画像表示領域Ｆ５に表示されるプレビュー画像を拡大又は縮小させて液晶表示部４１に表示させる。
【０１１２】
尚、プレビュー画像を液晶表示部４１に表示させるための画像データは、複合機２の制御部９から操作パネル４（表示制御部４０）に与えられる。表示制御部４０は、ページ指定画面Ｓ２３での入力内容（指定されたページ）を制御部９に伝達する。そして、制御部９は、指定されたページに基づき、蓄積文書の画像データを加工し、表示すべきプレビュー画像のための画像データを生成し、表示制御部４０に送信する。そして、表示制御部４０は、与えられた画像データに基づきプレビュー画像を液晶表示部４１に表示させる。
【０１１３】
プレビュー画像の拡大、又は、縮小の場合、拡大キーＫ１３や縮小キーＫ１４が押されるごとに、制御部９がプレビュー画像用の画像データを生成し、表示制御部４０に与えて、拡大や縮小されたプレビュー画像が表示されてもよい。あるいは、表示制御部４０が制御部９から受信した画像データの拡大、縮小処理を行って拡大や縮小されたプレビュー画像が表示されてもよい。
【０１１４】
又、プレビュー画像確認画面Ｓ２４には、次頁キーＫ１５と前頁キーＫ１６が設けられる。次頁キーＫ１５は、次の順番のプレビュー画像を表示されるときに押され、前頁キーＫ１６は、１つ前の順番のプレビュー画像を表示させるときに押される。次頁キーＫ１５や前頁キーＫ１６の押下に伴い、表示制御部４０は、プレビュー画像表示領域Ｆ５に表示するプレビュー画像の切り替えを行う。
【０１１５】
又、プレビュー画像確認画面Ｓ２４の下方に、例えば、印刷実行キーＫ１７、送信実行キーＫ１８、中止キーＫ１９が設けられる。印刷実行キーＫ１７は、指定したページに誤りが無く、そのまま印刷を行うとき押される。印刷実行キーＫ１７が押されると、表示制御部４０は、指定されたページを印刷すべき旨の入力がなされたことを本体の制御部９に伝える。これを受けて、制御部９は、画像形成部７等を動作させ、指定されたページの印刷を行わせる。
【０１１６】
送信実行キーＫ１８は、指定したページに誤りが無く、そのまま送信を行うとき押される。送信実行キーＫ１８が押されると、表示制御部４０は、指定されたページを送信すべき旨の入力がなされたと認識し、例えば、アドレス情報を入力するための画面（不図示）を表示させる。アドレス情報が入力されると、表示制御部４０は、入力されたアドレス情報とともに、指定されたページを送信すべきことを本体の制御部９に伝える。これを受けて、制御部９は、データ通信部９４等を動作させ、指定されたページについて送信を行わせる。
【０１１７】
尚、表示制御部４０は、表示すべき全てのプレビュー画像が表示されると、印刷実行キーＫ１７と送信実行キーＫ１８への入力（押下）を受け付ける。そのため、表示制御部４０は、表示すべき全てのプレビュー画像が表示されてから、印刷実行キーＫ１７と送信実行キーＫ１８を液晶表示部４１に表示させるようにしてもよい。
【０１１８】
（プレビュー画像表示制御）
次に、図１２に基づき、本発明の第２の実施形態に係る複合機２でのプレビュー画像の表示制御の一例を説明する。図１２は、本発明の第２の実施形態に係る複合機２でのプレビュー画像の表示制御の一例を示すフローチャートである。
【０１１９】
まず、図１２に示すスタートは、液晶表示部４１で文書出力キーＫ６が押された→文書出力設定画面Ｓ２２で蓄積文書が選択された→ページ指定画面Ｓ２３（図８参照）で印刷や送信するページが指定されてＯＫキーＫ１１が押された、といった過程を経て、液晶表示部４１にプレビュー画像確認画面Ｓ２４を表示させようとする時点である。
【０１２０】
次に、表示制御部４０は、選択された蓄積文書と印刷や送信を行うと指定された各ページを本体の制御部９に伝える（ステップ♯２１）。あるいは、プレビュー画像を表示すべきページを表示制御部４０が判断し、表示制御部４０は表示すべきページを示すデータを送信するようにしてもよい。そして、本体の制御部９は、選択された蓄積文書でプレビュー画像として表示すべきページの画像データを生成し、表示制御部４０に送信する（ステップ♯２２）。
【０１２１】
次に、印刷や送信を行うと指定されたページが全ページ（全ページ、チェックボックスＣ２の選択）と設定されたのであれば（ステップ♯２３のＹｅｓ）、表示制御部４０は、選択された蓄積文書のうち、最初のページと最後のページのプレビュー画像を液晶表示部４１に表示させる（ステップ♯２４）。
【０１２２】
一方、全ページの指定で無く（ステップ♯２３のＮｏ）、非連続ページと、連続ページが混在して指定されていれば（チェックボックスＣ３とチェックボックスＣ４の両方の選択、ステップ♯２５のＹｅｓ）、表示制御部４０は、非連続ページの全てと連続ページの最初と最後のページのプレビュー画像を液晶表示部４１に表示させる（ステップ♯２６）。
【０１２３】
即ち、入力部（タッチパネル部４２等）は、連続ページと非連続ページの両方の種類でページを指定する入力を受け付け、表示部（液晶表示部４１）は、連続ページについては、連続ページのうち最初と最後のページのみのプレビュー画像を表示し、非連続ページについては、全ての非連続ページのプレビュー画像を表示する。
【０１２４】
一方、混在しておらず（ステップ♯２５のＮｏ）、指定されたページが連続ページであれば（チェックボックスＣ３のみ選択、ステップ♯２７のＹｅｓ）、表示制御部４０は、連続ページの最初と最後のページのプレビュー画像を液晶表示部４１に表示させる（ステップ♯２８）。一方、非連続ページであれば（ステップ♯２７のＮｏ）、表示制御部４０は、非連続ページの全てのプレビュー画像を液晶表示部４１に表示させる（ステップ♯２９）。
【０１２５】
即ち、本発明に係る画像形成装置（例えば、複合機２）は、１又は複数ページの画像データを含む蓄積文書を記憶する記憶部９３と、蓄積文書に基づき印刷を行う画像形成部７と、蓄積文書のページのプレビュー画像を表示する表示部（液晶表示部４１）と、蓄積文書に含まれるページのうち、ジョブを実行させるページを指定する指定入力（ページ指定画面Ｓ２３でのページの指定入力）と、ページを指定する指定入力がなされた後に指定入力されたページである指定ページのプレビュー画像を表示させる指示入力（例えば、ページ指定画面Ｓ２３でのＯＫキーＫ１１の押下入力）と、プレビュー画像の表示ページの切替入力（例えば、プレビュー画像確認画面Ｓ２４での次頁キーＫ１５の押下入力。）、を受け付ける入力部（タッチパネル部４２等）と、を含み、表示部（液晶表示部４１）は、指定ページが連続した範囲である連続ページであるとき、連続ページのうち最初と最後のページのみのプレビュー画像を表示し、指定ページが連続せず独立した非連続ページであるとき、全ての非連続ページのプレビュー画像を表示する。
【０１２６】
そして、表示すべきプレビュー画像の全てを表示した後（ステップ♯２４、ステップ♯２６、ステップ♯２８、ステップ♯２９の後）、表示制御部４０は、ジョブ（印刷や送信）を実行すべきかを確認する（ステップ♯３０）。具体的には、印刷実行キーＫ１７や送信実行キーＫ１８が押されたかを確認する。
【０１２７】
もし、指定されたページでそのままジョブを実行するとき、表示制御部４０は、指定されたページでジョブを実行すべき旨を制御部９に送信する（ステップ♯３１）。これにより、制御部９は、画像形成部７やデータ通信部９４を動作させ、ジョブが実行されることになる（エンド）。即ち、画像形成部７は、表示部（液晶表示部４１）が表示すべき全てのページのプレビュー画像を表示した後、蓄積文書に基づき印刷を行う。
【０１２８】
一方、指定されたページに誤りがあり、中止キーＫ１９が押されたとき、表示制御部４０は、蓄積文書の出力に関する設定を破棄する（ステップ♯３２）。そして、そのまま制御は終了される（エンド）例えば、表示制御部４０は機能選択画面Ｓ２１を液晶表示部４１に表示させる。
【０１２９】
このようにして、第２の実施形態によれば、画像形成装置（例えば、複合機２）に蓄積された蓄積文書の印刷で、ページの指定が行われた後、指定ページが連続ページのとき、最初と最後のページのみのプレビュー画像が表示される。これにより、請求項１の発明と同様に、プレビュー画像の確認を最小限で済ますことができる。従って、プレビュー画像の確認に要する時間を従来よりも減らすことができる。又、ページの指定が行われた後、指定ページが非連続ページのとき、非連続ページの全ページのプレビュー画像が表示される。これにより、ページを間違いなく指定できているか、確実に確認することができる。従って、設定ミス（ページの指定ミス）による用紙等の無駄の発生を防ぐことができる。又、使用者は集中して指定ページの確認を行える。従って、的確にページの指定ミスを発見できる。
【０１３０】
又、複合機２の入力部（タッチパネル部４２等）は、指定ページとして、連続ページと非連続ページの両方の種類を指定する入力を受け付ける。これにより、使用者は、ページの指定を複数の態様で指定でき、かつ、プレビュー画像は指定した態様に合わせて表示される。従って、使用者は、指定したページの部分に応じてプレビュー画像を最小限かつ的確に確認することができ、効率的にプレビュー画像の確認を行うことができる。又、画像形成部７は、ディスプレイ１４が表示すべき全てのページのプレビュー画像を表示した後、蓄積文書に基づき画像形成を行う。これにより、使用者が指定したページに誤りがないかをしっかり確認した後、ジョブの実行が開始され、印刷や送信を確実行うことができ、ページの指定ミスによる無駄が生じない。
【０１３１】
次に、他の実施形態を説明する。第１の実施形態では情報処理装置、第２の実施形態では画像形成装置を例に挙げて説明した。しかし、図５、図１２のフローチャートで示したように、本発明を情報処理装置や画像形成装置におけるプログラムとして捉えることもできる。即ち、本発明に係るプログラムは、データに含まれるページのうち、画像形成装置（例えば、複合機２）にジョブを実行させるページを指定する指定入力と、ページを指定する指定入力がなされた後に指定入力されたページである指定ページのプレビュー画像を表示させる指示入力と、プレビュー画像の表示ページの切替入力を、入力デバイス１５に受け付けさせ、指定ページの確認のためのプレビュー画像を表示するディスプレイ１４に、指定ページが連続した範囲である連続ページであるとき、連続ページのうち最初と最後のページのみのプレビュー画像の表示をディスプレイ１４に行わせ、指定ページが連続せず独立した非連続ページであるとき、全ての非連続ページのプレビュー画像を、ディスプレイ１４に表示させる。このプログラムによれば、第１の実施形態での情報処理装置と同様の効果を得ることができる。
【０１３２】
本発明の実施形態を説明したが、本発明の範囲はこれに限定されるものではなく、発明の主旨を逸脱しない範囲で種々の変更を加えて実施することができる。
【産業上の利用可能性】
【０１３３】
本発明は、コンピュータや、表示部と入力部を有する画像形成装置や、情報処理装置や画像形成装置のプログラムに利用可能である。
【符号の説明】
【０１３４】
１      コンピュータ（情報処理装置）    １０１  画像形成装置
１４    ディスプレイ                    １５    入力デバイス
１６    通信部
２      複合機（画像形成装置）          ４１    液晶表示部（表示部）
４２    タッチパネル部（入力部）        ４４    テンキー部（入力部）
７      画像形成部                      ９３    記憶部
【図１】
0005449103.tif 000002
【図２】
0005449103.tif 000003
【図３】
0005449103.tif 000004
【図４】
0005449103.tif 000005
【図５】
0005449103.tif 000006
【図６】
0005449103.tif 000007
【図７】
0005449103.tif 000008
【図８】
0005449103.tif 000009
【図９】
0005449103.tif 000010
【図１０】
0005449103.tif 000011
【図１１】
0005449103.tif 000012
【図１２】
0005449103.tif 000013